(57)【特許請求の範囲】
【請求項１】
建設機械における動力源が格納された動力室を覆うための外装カバーの取付構造であって、
前記動力源の周囲に配置されるフレームと、
前記フレームに取り付けられ、前記外装カバーの一部を構成する固定カバーと、
前記固定カバーとともに前記外装カバーの一部を構成する開閉カバーと、
前記開閉カバーに取付けられ、所定方向の軸周りに回動する回動部材と、
前記回動部材を前記フレームまたは前記固定カバーに前記外装カバーの外面側から締緩可能に取り付ける締結部材と、
前記開閉カバーを開閉する操作力を緩和するためのアシスト機構と、
を備え、
前記アシスト機構は、一端が前記回動部材、他端が前記開閉カバーに取り付けられている、
外装カバーの取付構造。
【請求項２】
前記回動部材は、前記フレームに取り付けられており、
前記固定カバーには、前記外装カバーの外面側から前記締結部材にアクセスするための作業孔が形成されている、
請求項１に記載の外装カバーの取付構造。
【請求項３】
前記作業孔を塞ぐためのキャップ部材をさらに備えている、
請求項２に記載の外装カバーの取付構造。
【請求項４】
車体のオシレート機構と、
請求項１から３のいずれか１項に記載の外装カバーの取付構造と、
を備えており、
オシレート時に、前記動力源が格納された前記動力室を覆うための前記外装カバーにおける前記開閉カバーの開閉軌跡に、前記車体の一部が干渉するよう構成される、
ホイルローダ。
【発明の詳細な説明】
【技術分野】
【０００１】
本発明は、建設機械の動力源等を格納する動力室等を覆う開閉することが可能な外装カバーの取付構造およびこれを備えたホイルローダに関する。
【背景技術】
【０００２】
建設機械（例えば、図１に示すホイルローダ）においては、一般的に、動力源を含む動力室から発生する騒音を遮断するために、これらを格納する動力室を形成し、これを外装カバーによって覆っている。
ところが、外装カバーによって覆われた動力室内の動力源は、定期的な整備点検が必要であり、ときには、緊急を要するメンテナンス等が必要な場合もある。このとき、例えば、ボルトやナット等の締結部材によってフレームに固定された外装カバーをその都度取り外して作業を行うことは非常に非効率であり、オペレータに負担がかかってしまう。
【０００３】
そこで、動力室内に格納された機器類のメンテナンス等が必要になった場合でも、容易に外装カバーを開閉することが可能な外装カバーの取付構造が提案されている。特許文献１では、水平方向に沿って配置された軸周りに回動可能なヒンジを介した外装カバーの取付構造が開示されている。
【特許文献１】特開２００４−１７６４２８公報（平成１６年６月２４日公開）
【発明の開示】
【発明が解決しようとする課題】
【０００４】
しかしながら、上記従来の外装カバーの取付構造では、以下に示すような問題点を有している。
すなわち、特許文献１に示す外装カバーが閉じられた状態のとき、その外装カバーに近接して開閉軌跡に干渉する物体が存在すると、ヒンジを介した外装カバーの開閉ができない。このとき、例えば、動力室内に格納された動力源等の機器類をメンテナンスする必要性が発生した場合、これに対応することができないおそれがある。
【０００５】
これに対応する手段としては、外装カバーを取り外して動力室内を開放することが考えられるが、特許文献１に示す開閉カバー取付構造は、図９に示すように、フレーム１５１と外装カバー（図示せず）を介するヒンジ１５１は、動力室の内部側でボルト１５３によってフレーム１３１の下面側に締結されている。このため、外装カバーを開けない限りボルト１５３の締緩作業をすることができず、フレーム１３１とヒンジ１５１とを固定するボルト１５３を緩め、フレーム１３１から開閉カバーを取り外すことはできなかった。
【０００６】
本発明の課題は、外装カバーが通常の開閉を行えない状況においても、動力室内を開放することができる外装カバーの取付構造およびこれを備えたホイルローダを提供することにある。
【課題を解決するための手段】
【０００７】
第１の発明に係る外装カバーの取付構造は、建設機械における動力源が格納された動力室を覆うための外装カバーの取付構造であって、フレームと、固定カバーと、開閉カバーと、回動部材と、締結部材と、を備えている。フレームは、動力源の周囲に配置される。固定カバーは、フレームに取り付けられ、外装カバーの一部を構成する。開閉カバーは、固定カバーとともに外装カバーの一部を構成する。回動部材は、開閉カバーに取付けられ、所定方向の軸周りに回動する。締結部材は、回動部材をフレームまたは固定カバーに外装カバーの外面側から締緩可能に取り付ける。
【０００８】
ここでは、開閉カバーに取り付けられている回動部材とフレームまたは固定カバーとを取り付ける締結部材が、外装カバーの外面側から締緩可能に取り付けられている。
本発明の外装カバーの取付構造においては、フレームまたは固定カバーと回動部材とを固定する締結部材が、開閉カバーまたは固定カバーによって覆われている動力室の外側、すなわち、外装カバーの外面側から締緩可能に取り付けられている。
【０００９】
これにより、通常の開閉、例えば、開閉カバーが回動部材の軸周りに開閉できない状況において動力室内に格納された機器類のメンテナンス等が必要となった場合でも、外装カバーの外面側から締結部材を緩めて開閉カバーをフレームまたは固定カバーから取り外すことが可能となる。
この結果、オペレータは、開閉カバーが通常の開閉を行えない状況においても動力室内を開放することができる。
【００１０】
第２の発明に係る外装カバーの取付構造は、第１の発明に係る外装カバーの取付構造であって、回動部材はフレームに取り付けられており、固定カバーには、外装カバーの外面側から締結部材にアクセスするための作業孔を有している。
ここでは、開閉カバーに取り付けられている回動部材がフレームに取り付けられる場合、固定カバーには、外装カバー外面側から締結部材にアクセスするための作業孔を有している。
これにより、固定カバーに形成された作業孔を通して外装カバーの外面側から締結部材にアクセスすることが可能となり、締結部材を容易に締緩することができる。
【００１１】
第３の発明に係る外装カバーの取付構造は、第２の発明に係る外装カバーの取付構造であって、作業孔を塞ぐためのキャップ部材をさらに備えている。
ここでは、キャップ部材が、固定カバーまたは開閉カバーに形成された作業孔を塞いでいる。
【００１２】
ここで、建設機械は、泥や埃が多い屋外において使用されるのが一般的である。このような環境において建設機械が使用されると、雨水が締結部材に錆を発生させたり、泥や埃が締結部材を目詰まりさせたりする。このことは、締緩部材を締緩するにあたって支障をきたすおそれがある。
これにより、作業孔を塞ぐキャップ部材が雨水や泥や埃等の侵入を防止し、外的環境から締結部材を保護することが可能となる。
【００１３】
第４の発明に係る外装カバーの取付構造は、第１から第３の発明のいずれか１つに係る外装カバーの取付構造であって、開閉カバーを開閉する操作力を緩和するためのアシスト機構をさらに備えている。そして、アシスト機構は、一端が回動部材、他端が開閉カバーに取り付けられている。
ここでは、アシスト機構の一端が回動部材、他端が開閉カバーに取り付けられている。
これにより、開閉カバーを開閉する操作力を緩和するためのアシスト機構を設けた場合であっても、締結部材を緩めて回動部材をフレームまたは固定カバーから取り外すことによって、開閉カバーと一体となったアシスト機構をフレームまたは固定カバーから取り外すことが可能となる。
【００１４】
第５の発明に係るホイルローダは、車体のオシレート機構と、第１から第４の発明のいずれか１つに係る外装カバーの取付構造と、を備えており、オシレート時に、動力源が格納された動力室を覆うための外装カバーにおける開閉カバーの開閉軌跡に、車体の一部が干渉するよう構成される。
【００１５】
ここで、オシレート時に、動力源が格納された動力室を覆うための外装カバーにおける開閉カバーの開閉軌跡に、車体の一部が干渉するよう構成されるホイルローダにおいて、例えば、開閉カバーを閉じられた状態でオシレート状態を形成した場合、オシレート機構によってタイヤの一方が開閉カバーに近接して位置するようになる。このとき、このタイヤが開閉カバーの開閉軌跡に干渉して開閉カバーの開閉を不可能にする場合がある。
【００１６】
なお、ここで言う車体のオシレート機構とは、ホイルローダが全幅方向に勾配のある路面に位置する場合において車体を水平に保つための機構である。すなわち、タイヤを連結する車軸は路面の勾配に平行な状態となるが、オペレータ用の運転室であるキャブ等の車体を水平に維持するための機構を言う。そして、水平方向に維持された車体に対してタイヤが傾いた状態、いわゆるオシレート状態を形成したとき、例えば、後方の片方のタイヤは、動力室とタイヤとの距離が、オシレート状態を形成しない通常の場合に比べて近くなる。このため、このタイヤが開閉カバーの開閉軌跡に干渉し、開閉カバーを回動部材の軸周りに開閉することが不可能となるおそれがある。このとき、動力室を開放するための対応策として、回動部材の締結部材を取り外してフレームから開閉カバーを取り外すことが考えられる。しかし、締緩部材が動力室の内部に配置されていることから、開閉カバーが開かない状況において締緩部材を緩めることはできない。このため、緊急に動力室内の機器類をメンテナンス等する必要性が発生した場合、ホイルローダのオシレートの状態によっては対応することができないおそれがあった。
【００１７】
そこで、本発明のオシレート機構を有するホイルローダにおいては、フレームまたは固定カバーと回動部材とを固定する締結部材が、開閉カバーまたは固定カバーによって覆われている動力室の外側、すなわち、外装カバーの外面側から締緩可能に取り付けられている。
これにより、オシレート機構によって開閉カバーが回動部材の軸周りに開閉できない状況において動力室内に格納された機器類のメンテナンス等が必要となった場合でも、締結部材を緩めて開閉カバーをフレームまたは固定カバーから取り外すことが可能となる。
【００１８】
この結果、オペレータは、開閉カバーが通常の開閉を行えない状況においても動力室内を開放することができる。
【発明の効果】
【００１９】
第１の発明に係る外装カバーの取付構造によれば、オペレータは、開閉カバーが通常の開閉を行えない状況においても動力室内を開放することができる。
第２の発明に係る外装カバーの取付構造によれば、固定カバーに形成された作業孔を通して外装カバーの外面側から締結部材にアクセスすることが可能となり、締結部材を容易に締緩することができる。
【００２０】
第３の発明に係る外装カバーの取付構造によれば、作業孔を塞ぐキャップ部材が雨水や泥や埃等の侵入を防止し、外的環境から締結部材を保護することが可能となる。
第４の発明に係る外装カバーの取付構造によれば、開閉カバーを開閉する操作力を緩和するためのアシスト機構を設けた場合であっても、締結部材を緩めて回動部材をフレームまたは固定カバーから取り外すことによって、開閉カバーと一体となったアシスト機構をフレームまたは固定カバーから取り外すことが可能となる。
【００２１】
第５の発明に係るホイルローダによれば、オペレータは、開閉カバーが通常の開閉を行えない状況においても動力室内を開放することができる。
【発明を実施するための最良の形態】
【００２２】
本発明の一実施形態に係る外装カバーの取付構造について、図１〜図８を用いて説明すれば以下の通りである。
なお、本実施形態のホイルローダ１０の説明にあたっては、キャブ２０の配置位置を基準として、バケット１３が配置された方向を「前」、動力室３０の配置された方向を「後」として説明する。
【００２３】
［ホイルローダ（建設機械）１０全体の構成］
本実施形態に係る建設機械の外装カバーの取付構造は、図１に示すように、ホイルローダ１０に搭載された動力室３０の開閉カバー（外装カバー）３２に対して適用されている。
ホイルローダ１０は、車体１１と、車体の前部に装着されたリフトアーム１２と、このリフトアーム１２の先端に取り付けられたバケット１３と、車体１１を支持しながら回転して車体を走行させる４本のタイヤ１４と、車体１１の上部に搭載されたキャブ２０と、を備えている。
【００２４】
車体１１は、図示しない動力源等の機器類を格納する動力室３０と、リフトアーム１２およびバケット１３を駆動するための駆動部と、を有している。
リフトアーム１２は、先端に取り付けられたバケット１３を持ち上げるためのアーム部材であって、併設されたリフトシリンダによって駆動される。
バケット１３は、リフトアーム１２の先端に取り付けられており、バケットシリンダによってダンプおよびチルトされる。
【００２５】
キャブ２０は、複数の鋼管と鋼板とを組み合わせて構成されるオペレータ用の運転室を形成しており、車体１１の中央部分よりもやや前方に配置されている。
［動力室３０］
動力室３０は、図２〜図５に示すように、ホイルローダ１０のパワーラインの一部を形成する動力源等を格納する空間であり、フレーム３１と、開閉カバー３２と、固定カバー（外装カバー）３３と、グリルカバー（外装カバー）３４と、作業孔３５と、キャップ（キャップ部材）３６と、を有している。
【００２６】
フレーム３１は、動力源等を格納するための空間を形成しており、全長方向に沿って水平向きに配置されている。また、フレーム３１は、開閉カバー３２や固定カバー３３の強度を補強するための補強材としても用いられる。
開閉カバー３２は、フレーム３１によって形成された空間の左右の側面を覆うカバーであり、フレーム３１に対してヒンジ（回動部材）５１を介して取り付けられている。そして、動力室３０内に格納された動力源等の整備点検等を行うために、水平方向に沿って配置されたヒンジ５１に含まれる回転軸５１ａ（図６参照）を軸として上下方向への開閉が可能な態様、いわゆるガルウィングの態様で開閉カバー３２を開閉することができる。なお、フレーム３１に対してヒンジ５１を介した開閉カバー３２の取付構造については後段にて詳述する。
【００２７】
固定カバー３３は、フレーム３１によって形成された空間の上面を覆うカバーであり、フレーム３１が取り付けられている。また、固定カバー３３は、動力源から伸びる吸気管２２および排気管２３を突出させるための穴部３８ａ・３８ｂが設けられている。
グリルカバー３４は、動力室３０における後方の側面を覆うカバーであり、ヒンジ（図示せず）を介して取り付けられている。また、グリルカバー３４は、開閉カバー３２と同様に、水平方向に配置された軸周りに回動し上下方向に開閉が可能である。そして、グリルカバー３４は、冷却ファン類（図示せず）等に接して設置されており、冷却風の提供を可能とするグリル形状を有している。
【００２８】
作業孔３５は、固定カバー３３の内面側に配置されたフレーム３１とヒンジ５１とを締結するボルト５３の上部（ボルト５３の頭部側）に配置されている。これにより、固定カバー３３の外面側からボルト５３の頭部にアクセスすることが可能となり、ボルト５３の締緩を容易に行うことができる。そして、作業孔３５は、ボルト等を締緩する工具等が入る程度の半径を有している。
【００２９】
キャップ３６は、固定カバー３３に形成された作業孔３５を覆うように配置されており、雨水や泥や埃等の侵入を防止し、外的環境からボルト５３を保護する。
［開閉カバー３２の取付構造］
開閉カバー３２の取付構造は、図６、図７に示すように、開閉カバー３２が、水平方向に沿って配置されたヒンジ５１に含まれる回転軸５１ａを回動中心として上下方向に開閉可能に取り付けられている。そして、フレーム３１と開閉カバー３２とがヒンジ５１を介して互いに取り付けられている。
【００３０】
ヒンジ５１は、図６に示すように、回転軸５１ａ、フレーム固定板５１ｂおよび開閉カバー固定板５１ｃを含むように構成されている。ヒンジ５１は、回転軸５１ａを回動中心として、フレーム固定板５１ｂと開閉カバー固定板５１ｃとが相対的に回動可能である。
回転軸５１ａは、水平方向に沿って配置されている。
フレーム固定板５１ｂは、ボルト（締結部材）５３およびナット５２によってフレーム３１に固定されている。具体的には、フレーム３１の上面に配置されたボルト５３と、フレーム固定板５１ｂの下面に配置されたナット５２とによって、フレーム３１とフレーム固定板５１ｂとを上下から挟んで締結している。このとき、フレーム固定板５１ｂとナット５２とは、溶接等によって固定されている。このため、オペレータは、工具等を用いてボルト５３を回転させることで、フレーム３１とフレーム固定板５１ｂとの取付を着脱することができる。
【００３１】
開閉カバー固定板５１ｃは、図７に示すように、ボルト５４およびナット５５によって開閉カバー３２に固定されている。
以上に示したように、フレーム３１と開閉カバー３２とはヒンジ５１を介して互いに連結されているので、開閉カバー３２は、水平方向に沿って配置された回転軸５１ａの軸周りに回動することができる。
【００３２】
さらに、開閉カバー３２の取付構造は、図３、図７に示すように、開閉操作時の操作力を緩和するための開閉アシスト機構６０を備えている。そして、開閉アシスト機構６０は、上端ブラケット６１と、ガススプリング６２と、下端ブラケット６４と、を有している。
上端ブラケット６１は、ヒンジ５１の下方に垂下するように配置され、溶接等によってヒンジ５１に固定されている。
【００３３】
ガススプリング６２は、開閉カバー３２の重量とガススプリング６２内の圧縮ガスによる付勢力とのバランスによって開閉操作時の操作力を緩和するものであり、上端ブラケット６１と下端ブラケット６４との間に配置されている。そして、ガススプリング６２の上端と上端ブラケット６１とは、ピン６３を介して回動可能に取り付けられている。
下端ブラケット６４は、開閉カバー３２の内面側に取り付けられており、ガススプリング６２の下端部と固定されている。
【００３４】
本実施形態の開閉カバー３２の取付構造では、上記に示した開閉カバー３２の開閉アシスト機構６０を設けることによって、オペレータは開閉カバー３２の重量を感じることなく楽に開けることができる。すなわち、開閉カバー３２を閉状態から開くと開閉カバー３２が開くに伴ってガススプリング６２が伸長する。そして、ガススプリング６２内の圧縮ガスの付勢力によって、開閉カバー３２は上方に押し上げられ、開操作力がアシストされる。
【００３５】
＜開閉カバー３２の取り外し手順＞
以上のような開閉カバー３２の取付構造を備えたホイルローダ１０は、全幅方向に勾配のある路面に位置する場合、タイヤ１４を連結する車軸は路面の勾配に平行な状態となるがオペレータ用の運転室であるキャブ２０をはじめ車体１１を水平に維持するための機構、いわゆるオシレート機構７０を有している。本実施形態におけるホイルローダ１０は、図８に示すように、全幅方向に対する勾配θが９度となった状態のオシレート機構７０を示している。そして、オシレート機構７０を有するホイルローダ１０は、全幅方向に勾配のある路面に位置する場合に、図８に示すような水平方向に維持された車体１１に対してタイヤ１４が傾いた状態であるオシレート状態を形成する。
【００３６】
ホイルローダ１０が図８に示すオシレート状態を形成して停止した場合、片方のタイヤ１４が開閉カバー３２の開閉軌跡に干渉する。このとき、閉状態にある開閉カバー３２は、近接するタイヤ１４に接触するまでしか開けることができない。ところが、例えば、全幅方向に対する勾配θが９度以上の場合、タイヤ１４が極端に開閉カバー３２に近接する場合においては、開閉カバー３２をほとんど開くことができない状態となる。このため、例えば、緊急に動力室３０内の機器類のメンテナンスをする必要が生じた場合、以下の手順によって動力室３０を開放する。
【００３７】
まず、オペレータは、図５に示す固定カバー３３の上面に設置された作業孔３５を覆っているキャップ３６を外し、作業孔３５を通してヒンジ５１を形成するフレーム固定板５１ｂとフレーム３１とを締結するボルト５３の頭部が確認できる状態にする。次に、オペレータは、工具を用いて前述のボルト５３を緩めて、フレーム３１からフレーム固定板５１ｂを取り外す。このとき、開閉カバー３２は、ヒンジ５１と一体となってフレーム３１から取り外された状態となっているので、開閉カバー３２を任意に移動させることによって、動力室３０内を開放することができる。
【００３８】
上記のように、動力室３０の外部からボルト５３を締緩することを可能にすることによって、ホイルローダ１０がオシレート状態を形成して停止した場合においても、例えば、動力室３０内の機器類のメンテナンスを行うために、動力室３０内を開放することが可能となる。
［ホイルローダ１０の特徴］
（１）
本実施形態のホイルローダ１０における開閉カバー３２の取付構造は、図６に示すように、フレーム３１とフレーム固定板５１ｂとを固定するボルト５３が、動力室３０の外側、すなわち、固定カバー３３の外面側から締緩することが可能である。
【００３９】
これにより、開閉カバー３２が、水平方向に沿って配置された回転軸５１ａの軸周りに開閉できない状況においても、オペレータは、動力室３０の外側からボルト５３の頭部にアクセスし、ボルト５３を緩めて開閉カバー３２をフレーム３１から取り外し、動力室３０を開放することができる。
（２）
本実施形態のホイルローダ１０では、ボルト５３に対してアクセスするための作業孔３５が固定カバー３３に形成されている。
【００４０】
これにより、オペレータは、ボルト５３に外部からアクセスすることができ、ボルト５３に対して容易に締緩することが可能となる。
（３）
本実施形態のホイルローダ１０では、キャップ３６が、固定カバー３３に形成された作業孔３５を塞いでいる。
【００４１】
これにより、作業孔３５を塞ぐキャップ３６が雨水や泥や埃等の侵入を防止し、外的環境からフレーム３１とフレーム固定板５１ｂとを締結するボルト５３およびナット５２を保護することが可能となる。
（４）
本実施形態のホイルローダ１０では、アシスト機構６０の一方の端部がヒンジ５１に含まれるフレーム固定板５１ｂに固定されている。また、アシスト機構６０の他方の端部が開閉カバー３２に取り付けられている。
【００４２】
これにより、ボルト５３を緩めてヒンジ５１をフレーム３１から取り外すことによって、開閉カバー３２と一体となったアシスト機構６０もヒンジ５１と共にフレーム３１から取り外される。
（５）
本実施形態のホイルローダ１０における開閉カバー３２の取付構造は、図６に示すように、フレーム３１とフレーム固定板５１ｂとを固定するボルト５３を、動力室３０の外側、すなわち、固定カバー３３の外面側から締緩することが可能である。
【００４３】
これにより、ホイルローダ１０がオシレート状態を形成して停止し、開閉カバー３２が水平方向に沿って配置された回転軸５１ａの軸周りに開閉できない状況においても、オペレータは、ボルト５３を緩めて開閉カバー３２をフレーム３１から取り外し、動力室３０を開放することができる。そして、例えば、上述のオシレート状態での停止時に、動力室３０内に格納された機器類のメンテナンス等が必要となった場合でも、開閉カバー３２をフレーム３１から取り外すことによって対応することができる。
【００４４】
［他の実施形態］
以上、本発明の一実施形態について説明したが、本発明は上記実施形態に限定されるものではなく、発明の要旨を逸脱しない範囲で種々の変更が可能である。
（Ａ）
上記実施形態のホイルローダ１０における開閉カバー３２の取付構造は、図６に示すように、ヒンジ５１に含まれるフレーム固定板５１ｂが、フレーム３１に取り付けられた例を挙げて説明した。しかし、本発明はこれに限定されるものではない。
【００４５】
例えば、開閉カバーの取付構造は、ヒンジ５１に含まれるフレーム固定板５１ｂが、固定カバー３３に取り付けられていても、上記の実施形態に係るホイルローダ１０と同様の効果を得ることができる。
（Ｂ）
また、開閉カバー３２と開閉カバー固定板５１ｃとを固定するボルトを、開閉カバー３２の外面側から締緩できるように構成してもよい。
【００４６】
この場合も、開閉カバー３２に取り付けられているヒンジ５１と開閉カバー３２を分離することができるので、上記の実施形態に係るホイルローダ１０と同様の効果を得ることができる。
（Ｃ）
上記実施形態のホイルローダ１０における開閉カバー３２の取付構造は、水平方向の回転軸を有するヒンジ５１を介して開閉カバー３２が開閉できる例を挙げて説明した。しかし、本発明はこれに限定されるものではない。
【００４７】
例えば、鉛直方向の回転軸を有するヒンジを介して横方向に開閉可能な開閉カバーを有するホイルローダにおいても、ヒンジをボルトにより外装カバーの外面側から締緩可能に取り付けることにより、上記の実施形態に係るホイルローダ１０と同様の効果を得ることができる。
（Ｄ）
上記実施形態のホイルローダ１０では、ヒンジ５１を介して開閉する外装カバーの対象が開閉カバー３２である例を挙げて説明した。しかし、本発明はこれに限定されるものではない。
【００４８】
例えば、所定方向に配置された軸周りに回動可能なヒンジを介して開閉する外装カバーの対象が、例えば、固定カバー３３や、グリルカバー３４であってもよい。この場合も、固定カバー３３やグリルカバー３４が通常の開閉ができない場合において、上記の実施形態に係るホイルローダ１０と同様の効果を得ることができる。
（Ｅ）
上記実施形態のホイルローダ１０では、固定カバー３３に形成されている作業孔３５がキャップで覆われている例を挙げて説明した。しかし、本発明はこれに限定されるものではない。
【００４９】
例えば、固定カバー３３に形成されている作業孔３５をシール材で覆う等、作業孔３５を覆う何らかの処置を行えば、上記の実施形態に係るホイルローダ１０と同様の効果を得ることができる。
（Ｆ）
上記実施形態のホイルローダ１０において開閉カバー３２が通常の開閉を行えない状況として、オシレート状態を形成して停止した場合のタイヤ１４が開閉カバー３２の開閉軌跡に干渉する例を挙げて説明した。しかし、本発明はこれに限定されるものではない。
【００５０】
例えば、ホイルローダ１０がある構造物に対して近接して停止し、例えば、コンクリート構造物等が、開閉カバー３２の開閉軌跡に干渉する場合においても、上記の実施形態に係るホイルローダ１０と同様の効果を得ることができる。
（Ｇ）
上記実施形態のホイルローダ１０における開閉カバー３２の取付構造は、開閉操作時の操作力を緩和するための開閉アシスト機構６０を備えている例を挙げて説明した。しかし、本発明はこれに限定されるものではない。
【００５１】
上記の実施形態に係るホイルローダ１０と同様の効果を得るにあたっては、開閉アシスト機構６０の配置の有無を問うものではない。
（Ｈ）
上記実施形態のホイルローダ１０におけるオシレート機構７０は、全幅方向に対する勾配θが９度以上の場合に、タイヤ１４が開閉カバー３２の開閉軌跡に干渉する例を挙げて説明した。しかし、本発明はこれに限定されるものではない。
【００５２】
例えば、全幅方向に対する勾配θが１０度や１２度等、９度より大きな勾配θにおいて、オシレート機構７０が形成するタイヤ１４の位置が、ヒンジを利用して開閉する開閉カバーの開閉軌跡に干渉するホイルローダ１０であっても、同様の効果を得ることができる。
【産業上の利用可能性】
【００５３】
本発明によれば、所定方向に沿って配置されている軸周りに開閉可能なカバーや扉が、通常の開閉を行えない場合の対応を可能にするため、例えば、ホイルローダやトラクタ等の、動力源等を格納する動力室を有する各種車両の外装カバーの取付構造への適用が特に有用である。
【図面の簡単な説明】
【００５４】
【図１】本発明の一実施形態に係る動力室を有するホイルローダを示す外観図。
【図２】図１のホイルローダが有する動力室の内面斜視図。
【図３】図２の動力室に取り付けられた開閉カバーの取付構造を示した斜視図。
【図４】図１のホイルローダが有する動力室の上面斜視図。
【図５】図１のホイルローダが有する動力室の上面斜視図。
【図６】本発明の一実施形態に係る開閉カバーの取付構造を示した断面図。
【図７】図２の動力室に取り付けられた開閉カバーの取付構造を示した斜視図。
【図８】図１のホイルローダに搭載されたオシレート機構を示した正面説明図。
【図９】従来の開閉カバーの取付構造を示した断面図。
【符号の説明】
【００５５】
１０      ホイルローダ（建設機械）
１１      車体
１２      リフトアーム
１３      バケット
１４      タイヤ
２０      キャブ
２２      吸気管
２３      排気管
３０      動力室
３１      フレーム
３２      開閉カバー（外装カバー）
３３      固定カバー（外装カバー）
３４      グリルカバー（外装カバー）
３５      作業孔
３６      キャップ（キャップ部材）
３８ａ    穴部
３８ｂ    穴部
５１      ヒンジ（回動部材）
５１ａ    回転軸
５１ｂ    フレーム固定板
５１ｃ    開閉カバー固定板
５２      ナット
５３      ボルト（締結部材）
５４      ボルト
５５      ナット
６０      開閉アシスト機構
６１      上端ブラケット
６２      ガススプリング
６３      ピン
６４      下端ブラケット
７０      オシレート機構
１３１    フレーム
１５１    ヒンジ
１５２    ナット
１５３    ボルト
θ        勾配
【図１】
0004695506.tif 000002
【図２】
0004695506.tif 000003
【図３】
0004695506.tif 000004
【図４】
0004695506.tif 000005
【図５】
0004695506.tif 000006
【図６】
0004695506.tif 000007
【図７】
0004695506.tif 000008
【図８】
0004695506.tif 000009
【図９】
0004695506.tif 000010